(57)【要約】      （修正有）【課題】印影の表面に付着した透明フィルムの上からコピー機等で複写しても正確な印影を複写することができないようにし、またその透明フィルムを剥してから印影をコピー機等で複写しても正確な印影を複写することができないようにした印鑑偽造防止用シールを提供する。【解決手段】書面６の所定箇所に捺印されてなる印影を覆う箇所に付着することによって印鑑の偽造を防止するようにした印鑑偽造防止用シール１において、前記シール１は透明フィルム２の裏面に文字や記号を表示した透明な表示層３を形成すると共に、該表示層３を含む前記透明フィルム２の裏面に半透明被覆層４を設け、さらに該半透明被覆層４の裏面に接着層５を設けて成り、該シール１を書面６に付着してから該シール１を剥すことにより、前記文字や記号を表示した表示層３がその部分の接着層５により書面に付着することによって元の印影を複写する際の支障となるようにした。【選択図】図２
2005189803.tif 000002
【特許請求の範囲】
【請求項１】
書面の所定箇所に捺印されている印影を覆う箇所に付着することによって印鑑の偽造を防止するようにした印鑑偽造防止用シールにおいて、該シールは透明フィルムの裏面に文字や記号を表示した透明な表示層を形成すると共に、該表示層を含む前記透明フィルムの裏面に半透明被覆層を設け、さらに該半透明被覆層の裏面に接着層を設けて成り、該シールを書面に付着してから該シールを剥すことにより、前記文字や記号を表示した表示層がその部分の接着層により書面に付着することによって元の印影を複写する際の支障となるようにしたことを特徴とする印鑑偽造防止用シール。
【請求項２】
前記フィルムの表面または裏面に該フィルムを印影の表面に付着した状態で該印影を遮る箇所に文字或いは記号等の遮蔽表示を施したことを特徴とする請求項１記載の印鑑偽造防止用シール。
【請求項３】
捺印すべき欄を有する捺印用台紙の裏面に接着層を設けて剥離紙に付着しておくと共に、前記印鑑偽造防止用シールを前記捺印用台紙を覆う形状に形成して、前記捺印用台紙と前記印鑑偽造防止用シールとを組み合わせて使用に供するようにしたことを特徴とする請求項１または２記載の印鑑偽造防止用シール。
【請求項４】
捺印用台紙における届出印の欄の全面に黒色の網点模様を施し、該捺印用台紙を覆う前記フィルムの表面または裏面の全面に反射性を有するインクにより文字或いは記号等の遮蔽表示を施したことを特徴とする請求項１、２または３記載の印鑑偽造防止用シール。
【請求項５】
通帳に貼着したベースシールの表面に捺印用台紙を張替え可能に貼り付けて、該捺印用台紙の届出印の欄に印鑑を捺印した状態で、該捺印用台紙の上面に前記印鑑偽造防止用シールを圧着することにより、通帳を繰越す際に、旧通帳のベースシールから剥がし取った前記捺印用台紙を新通帳に貼着したベースシールに貼り付けるようにしたことを特徴とする請求項１、２、３または４記載の印鑑偽造防止用シール。
【請求項６】
届出印を捺印しないタイプの通帳の届出印を判別するために、利用者本人が保管すべき控帳に届出印を捺印して該控帳の捺印箇所に前記印鑑偽造防止用シールを圧着しておくようにしたことを特徴とする請求項１、２、３または４記載の印鑑偽造防止用シール。
【発明の詳細な説明】
【技術分野】
【０００１】  本発明は、貯金通帳や種々の証書等に捺印されている印影を偽造されないようにした印鑑偽造防止用シールに関するものである。
【背景技術】
【０００２】  従来、銀行等の金融関係や行政関係等において手続や契約を遂行する際には、予め届け出た印影と持参した印鑑とを照合することが行なわれている。その他、このような印鑑の照合は、社会秩序及び法秩序を維持するためにも手続き上の重要な役割を荷うものである。【０００３】  ところで、最近では、コピー機、スキャナ或いは簡易印刷機等の技術が飛躍的に発達しているため、これらの機器を使用することにより、上記の書面から容易に印影等を複写することによって印鑑を偽造するとい犯罪行為が多発し、これが大きな社会問題となっている。【０００４】  そこで、このような行為を防止するために開発された従来の技術として、特許文献１に掲げるものは、「コピー防止シール」と称するもので、図６に示すように、特定情報が表示された表示部３０に貼付され、当該表示部３０のコピーを不可能にするコピー防止シール３１において、透明または半透明のフィルム３２の裏面に所定の画像３３を有するホログラムまたは半透明の回析格子を設け、かつ前記フィルム３２の当該ホログラムまたは回析格子形成側に透明または半透明の金属薄膜層、接着層を順次設けて成ることを特徴とするものである。【０００５】  このようなコピー防止シールを所定書面の上に付着してコピーすると、ホログラムの画像に対応する部分の記載事項に中抜けの斑部が発生するため、偽造を行う上での支障となり、偽造防止に有益となる。【０００６】  ところが、上記のコピー防止シールのようなホログラムや回析格子を利用したものは、製造コストが高く、またその表面に微小の凹凸を有する半透明の紙やフィルムを被覆すると、ホログラムや回析格子の反射が消失するため、これをコピーすると、斑部のない鮮明なコピーを得ることができ、コピーをしたのか否かという判別ができなくなるという欠点がある。また、被覆フィルムの上に施したホログラムや回析格子が光を乱反射するため、照合の際、確認者の目に強い刺激を与え、目の疲労が進み、頭痛を起こさせる等の不都合が生じる。【０００７】  また、特許文献２に掲げるものは、「偽造防止用被覆フィルム」と称するもので、図７に示すように、記載書面３５の偽造防止を目的とする記載事項３６の表面に付着して、記載事項の表面を被覆する透明または半透明のフィルム３７に、線表示３８を施したことを特徴とするものである。【０００８】  ところが、このような偽造防止用被覆フィルムを記載事項の表面に付着すると、印影等の記載事項の表面にフィルムの線表示が重なって表示されるものとなるため、偽造者がこの印影等の記載事項を偽造しようとしてコピー機により複写を行うと、印影等の記載事項の表面にも線表示が鮮明に表示されるため、偽造の際の支障となり、その偽造を防止することが可能となる。【０００９】  ところが、このような偽造防止用被覆フィルムは、記載事項の表面に貼り付けただけであるから、偽造者がその偽造防止用被覆フィルムをそのまま剥離し、或いは特殊な溶液等で剥し取ってしまうことができた場合、元の記載事項をそのままコピー機で複写して偽造に使われてしまうという欠点がある。
【特許文献１】特開平６−２５９０１３号公報（第１、２頁、図４）
【特許文献２】特開平７−３０９０８２号公報（第１、２、３頁、図１）
【発明の開示】
【発明が解決しようとする課題】
【００１０】  ところで、通帳を繰り越す場合、利用者が届出印を持参して通帳を作りなおすという手続が必要であった。ところが最近は、届出印を張り替え可能なシールに捺印して通帳の届出印の欄に貼り付けておき、繰越の際には、銀行側でこのシールを旧通帳から新通帳に張り替えるという作業によって、繰越業務を簡便化した方法が普及しているため、このような届出印の張替えシールにおいても、上記同様に印鑑の偽造防止対策が必要となる。【００１１】  さらに、最近の印鑑偽造防止対策として、届出印の登録を銀行側で控えておくが、通帳には押印をしないという方法を採用している銀行もあるが、この場合、利用者が所定銀行の通帳にどの印鑑を届け出たのか分からなくなるという不都合が生じる。【００１２】  本発明は、上記の事情に鑑みてなされたもので、製造コストの高いホログラムや回析格子を利用することなく、印影の表面に付着したフィルムの上からコピー機等で複写しても正確な印影を複写することができないようにし、またそのフィルムを剥してから印影をコピー機等で複写しても正確な印影を複写することができないようにした印鑑偽造防止用シールを提供することを目的とする。【００１３】  また、本発明は、通帳の繰越手続を簡単にするために届出印を張り替え可能なシールに捺印した場合においても、印影の偽造を防止するのに有効な印鑑偽造防止用シールを提供することを目的とする。【００１４】  さらに、本発明は、届出印を捺印しないタイプの通帳の届出印を利用者本人が判別するために、利用者本人が保管すべき控帳に届出印を捺印しておき、この控帳の印影の偽造を防止するのに有効な印鑑偽造防止用シールを提供することを目的とする。
【課題を解決するための手段】
【００１５】  上記目的を達成するために、本発明における請求項１の印鑑偽造防止用シールは、書面の所定箇所に捺印されている印影を覆う箇所に付着することによって印鑑の偽造を防止するようにした印鑑偽造防止用シールにおいて、該シールは透明フィルムの裏面に文字や記号を表示した透明な表示層を形成すると共に、該表示層を含む前記透明フィルムの裏面に半透明被覆層を設け、さらに該半透明被覆層の裏面に接着層を設けて成り、該シールを書面に付着してから該シールを剥すことにより、前記文字や記号を表示した表示層がその部分の接着層により書面に付着することによって元の印影を複写する際の支障となるようにしたことを特徴とする。【００１６】  また、請求項２の印鑑偽造防止用シールは、請求項１において、前記フィルムの表面または裏面に該フィルムを印影の表面に付着した状態で該印影を遮る箇所に文字或いは記号等の遮蔽表示を施したことを特徴とする。【００１７】  また、請求項３の印鑑偽造防止用シールは、請求項１または２において、捺印すべき欄を有する捺印用台紙の裏面に接着層を設けて剥離紙に付着しておくと共に、前記印鑑偽造防止用シールを前記捺印用台紙を覆う形状に形成して、前記捺印用台紙と前記印鑑偽造防止用シールとを組み合わせて使用に供するようにしたことを特徴とする。【００１８】  また、請求項４の印鑑偽造防止用シールは、請求項１、２または３において、捺印用台紙における届出印の欄の全面に黒色の網点模様を施し、該捺印用台紙を覆う前記フィルムの表面または裏面の全面に反射性を有するインクにより文字或いは記号等の遮蔽表示を施したことを特徴とする。【００１９】  また、請求項５の印鑑偽造防止用シールは、請求項１、２、３または４において、通帳に貼着したベースシールの表面に捺印用台紙を張替え可能に貼り付けて、該捺印用台紙の届出印の欄に印鑑を捺印した状態で、該捺印用台紙の上面に前記印鑑偽造防止用シールを圧着することにより、通帳を繰越す際に、旧通帳のベースシールから剥がし取った前記捺印用台紙を新通帳に貼着したベースシールに貼り付けるようにしたことを特徴とする。【００２０】  さらに、請求項６の印鑑偽造防止用シールは、請求項１、２、３または４において、届出印を捺印しないタイプの通帳の届出印を判別するために、利用者本人が保管すべき控帳に届出印を捺印して該控帳の捺印箇所に前記印鑑偽造防止用シールを圧着しておくようにしたことを特徴とする。
【発明の効果】
【００２１】  本発明の印鑑偽造防止用シールによれば、このシールは透明フィルムの裏面に文字や記号を表示した透明な表示層を形成すると共に、該表示層を含む前記透明フィルムの裏面に半透明被覆層を設け、さらに該半透明被覆層の裏面に接着層を設けて成るため、所定の書面に印鑑偽造防止用シールを付着した状態から該シールを剥し取ると、印影等に例えば「印鑑票」なる複数の文字による表示層が付着した状態となり、これをコピー機等で複写をすると、この複数の表示層が印影を覆うようにコピーに写るため、その印影による印鑑の偽造を阻止することが可能となる。【００２２】  また、本発明において、印鑑偽造防止用シールを構成する透明フィルムの表面または裏面に該透明フィルムを印影の表面に付着した状態で該印影を遮る箇所に文字或いは記号等の遮蔽表示を施すようにしたことによって、この印鑑偽造防止用シールを捺印用台紙に付着すると、印影の表面の一部を遮蔽表示が遮ることとなり、この状態でコピー機等で複写をすると、遮蔽表示が印影の一部を覆うようにコピーに写ってしまい、その印影による印鑑の偽造を阻止することが可能となる。【００２３】  さらに、本発明において、捺印すべき欄を有する捺印用台紙の裏面に接着層を設けて剥離紙に付着しておくと共に、印鑑偽造防止用シールを捺印用台紙を覆う形状に形成して、捺印用台紙と印鑑偽造防止用シールとを組み合わせて使用に供することにより、銀行等の金融機関において非常に便利な印鑑偽造防止対策に資することが可能となる。【００２４】  また、本発明において、捺印用台紙の届出印の欄の上面に黒色の網点模様を施すことにより、この欄の上面に捺印すると、黒色の網点模様の上部においては、印影をなす朱色が鮮明に表現されるが、これを光学機器によってスキャニングすると、微細な黒色の網点模様以外の白色の網点部分においては印影の朱色が不鮮明に表現されることとなる。【００２５】  また、捺印用台紙の印影の上面に反射性を有する微細な文字等による遮蔽表示を施したフィルムを圧着した状態で、その上面から光学機器でスキャニングすると、上記の網点模様の効果にあわせて、反射性を有する微細な遮蔽表示に対する光の乱反射によって、印影に欠損部分が生じ、正確な印影を読み取ることが不可能となる。【００２６】  さらに、通帳に貼着したベースシールの表面に捺印用台紙を張替え可能に貼り付けて、該捺印用台紙の届出印の欄に印鑑を捺印した状態で、該捺印用台紙の上面に印鑑偽造防止用シールを圧着する構成により、通帳を繰越す際に、旧通帳に貼着したベースシールから剥がし取った捺印用台紙を新通帳に貼着したベースシールに貼り付けることによって、通帳を繰り越す際の業務を大幅に簡単化することができ、このような張替えタイプの捺印用台紙においても、本発明の印鑑偽造防止効果を発揮することができる。【００２７】  また、本発明は、届出印を捺印しないタイプの通帳の届出印を判別するために、利用者本人が保管すべき控帳に届出印を捺印しておき、この控帳の捺印箇所に本発明の印鑑偽造防止用シールを圧着しておくことによって、利用者本人の所持している印鑑と控帳の印影とを目視で照合して判別することが可能となる。また、その控帳に捺印した印影によ���て印鑑が偽造されないように、控帳の印影にも本発明の印鑑偽造防止用シールを圧着しておくことによって印鑑の偽造を防止することが可能となる。
【発明を実施するための最良の形態】
【００２８】  以下、本発明の実施例について図面を参照しながら説明する。
【実施例１】
【００２９】  本実施例の印鑑偽造防止用シールの具体的断面構造について説明すると、図２（ａ）に示すように、透明合成樹脂（例えば、ポリエチレンテレフタレート）による透明フィルム２の裏面に透明なシリンコン材で適宜の文字（例えば、図５に示す「印鑑票」なる文字）や記号を表示した表示層３を形成すると共に、該表示層３を含む透明フィルム２の裏面に印刷等による半透明被覆層４を設け、さらに該半透明被覆層４の裏面に透明なフッ素系樹脂等による接着層５を設けて成るものである。【００３０】  このような構成により、図２（ａ）に示すように、上記の印鑑偽造防止用シール１を書面６に付着すると、透明フィルム２の裏面に文字や記号を表示した表示層３が存在するが、この表示層３は透明であるため、透明フィルム２を介してその文字は表示されず、透明フィルム２の裏面全体に接着された半透明被覆層４の有する色を呈することとなる。しかして、この半透明被覆層４を半透明状の色に着色することによって、透明フィルム２の上方から半透明被覆層４を通して書面６の記載事項を明瞭に見ることが可能である。【００３１】  次に、図２（ｂ）に示すように、上記のシール１を剥し取ると、シリンコン材から成る表示層３と半透明被覆層４との付着力が最も弱いため、文字や記号を表示した表示層３の部分だけが書面６に付着した状態を保ち、残りの半透明被覆層４は接着層６と共に透明フィルム２側に付着されて書面６から剥離する。その結果、文字や記号を表示した表示層３の部分だけが書面６に付着し、その下側の半透明被覆層４の着色を呈することとなり、その色で書面６上に文字や記号として表示される。【００３２】  このような本実施例のシール１を剥離紙８の上に複数枚付着して羅列すると、図１（ｂ）に示すシート状となる。また、図１（ａ）に示すものは、捺印用台紙１０の裏面に接着層を設けて剥離紙８にその複数枚を付着して羅列したものである。【００３３】  この捺印用台紙１０の記載事項は、一つの具体例として、図３に示すように貯金通帳１１に付着した届出印（印影）１２を照合するものとして印刷されたもので、図４に示すように、紙片の表面の所定箇所に届出印１２とその受け付け係員の印１３とを捺印してあり、さらにその表面に本実施例による印鑑偽造防止用シール１を付着してある。【００３４】  従って、上記のように捺印用台紙１０を剥離紙８に羅列したシート１４と、印鑑偽造防止用シール１を剥離紙８に羅列したシート１５を組み合わせてセットで提供することにより、銀行等の金融機関において非常に便利な印鑑偽造防止対策に資することが可能となる。【００３５】  さらに本実施例においては、図４に示すように、上記の印鑑偽造防止用シール１の透明フィルム２の表面または裏面に該透明フィルム２を印影の表面に付着した状態で該印影１２を遮る箇所に文字或いは記号等の遮蔽表示１６を施すようにしてある。【００３６】  この遮蔽表示１６の内容は、図４、図５に示すように、一つの例として「ＢＡＮＫ」と云う文字を複数羅列したものとしてある。このような印鑑偽造防止用シール１を上記の捺印用台紙１０に付着すると、届出印（印影）１２の表面の一部を遮蔽表示１６が遮ることとなる。従って、該シール１を付着した状態��コピー機等で複写をすると、遮蔽表示１６が印影１２の一部を覆うようにコピーに写ってしまい、その印影１２による印鑑の偽造を阻止することが可能となる。【００３７】  なお、印鑑偽造防止用シール１の透明フィルム２の表面または裏面に印刷した文字または記号等の遮蔽表示１６は、係りによる印鑑の照合の妨げにならない程度に淡色であって小さなものとし、且つコピー機等による複写の際にその一部を遮蔽するものとするのが好ましい。【００３８】  また、図４に示すように捺印用台紙１０に印鑑偽造防止用シール１を付着した状態から該シール１を剥し取ると、図５に示すように、印影１２等に「印鑑票」なる複数の文字による表示層３が付着した状態となり、これをコピー機等で複写をすると、この複数の表示層３が印影１２を覆うようにコピーに写り、やはりその印影による印鑑の偽造を阻止することが可能となる。
【実施例２】
【００３９】  本実施例の印鑑偽造防止用シールは、実施例１と同様の積層構造を有するものである。即ち、図２（ａ）に示すように、ポリエチレンテレフタレート等の透明合成樹脂による透明フィルム２の裏面に透明なシリンコン材で適宜の文字（例えば、図５に示す「印鑑票」なる文字や、図１０に示す「開封済」なる文字）や記号を表示した表示層３を形成すると共に、該表示層３を含む透明フィルム２の裏面に印刷等による半透明被覆層４を設け、さらに該半透明被覆層４の裏面に透明なフッ素系樹脂等による接着層５を設けて成るものである。【００４０】  従って、図２（ｂ）に示すように、シール１を剥し取ると、文字や記号を表示した表示層３の部分だけが書面６に付着した状態を保ち、残りの半透明被覆層４は接着層６と共に透明フィルム２側に付着されて書面６から剥離する。その結果、文字や記号を表示した表示層３の部分だけが書面６に付着し、その下側の半透明被覆層４の着色を呈することとなり、その色で書面６上に文字や記号として表示される。【００４１】  本実施例の印鑑偽造防止用シールは、上記の積層構造を有すると共に、次のように構成されている。即ち、図６（ａ）または（ｂ）に示すように、捺印用台紙１０における届出印の欄２０の全面に黒色の網点模様１８を施し、該捺印用台紙１０を覆うフィルム２の表面または裏面の全面に反射性を有するインクにより文字或いは記号等の遮蔽表示１６を施したものである。なお、図６（ａ）に示すものは、捺印用台紙１０の裏面に接着層を設けて剥離紙８にその複数枚を付着して羅列することにより、シート状としたものである。【００４２】  上記の構成において、捺印用台紙１０における届出印の欄２０の全面に施した黒色の網点模様１８は、その一例として、届出印の欄２０の全面に対して約８０パーセントの黒色インクで網点模様１８を施してある。なお、この網点模様１８とは、黒色インクで微細な黒点を網目状に印刷してなるものである。【００４３】  また、図６（ｂ）に示すように、捺印用台紙１０を覆うフィルム２は、実施例１と同様に、ポリエチレンテレフタレート等の透明合成樹脂による透明フィルムであり、このフィルム２の表面または裏面の全面に反射性を有するインクにより多数の微細な文字（例えば、銀行名等）を記載したり、記号等を記載したりすることによる遮蔽表示１６を施してある。なお、図６（ｂ）に示すものは、フィルム２の裏面に接着層を設けて剥離紙８の上に複数枚付着して羅列することにより、シート状としたものである。【００４４】  本実施例の印鑑偽造防止用シール１’を使用するには、まず、図７（ａ）に示すようなベースシール１９を通帳の所定箇所に付着する。このベースシール１９は、透明合成樹脂による透明フィルムであって裏面に接着剤を施してあり、通帳の所定箇所に接着可能である。次いで、このベースシール１９の上面に、図７（ｂ）に示すように、捺印用台紙１０を貼り、網点模様１８を施してある届出印の欄２０に利用者の届出印１２を捺印する。ただし、図６（ｂ）の右側の印影は印鑑の照合の際に受け付け係員が捺印すべき印１３である。【００４５】  さらに、上記のように捺印用台紙１０の上面に上記の印鑑偽造防止用シール１’を圧着すると、図７（���）に示すように、捺印した届出印（印影）１２等がシール１’の全面に施された微細な文字等による遮蔽表示１６によって覆われた状態になる。この状態における捺印用台紙１０を拡大すると、図８（ａ）に示すものとなり、シール１’をなすフィルム２を透視してその下部の印影１２を目視で確認することができる。【００４６】  本実施例においては、上記の構成により、通帳を繰越す際に、旧通帳に貼着したベースシール１９から剥がし取った捺印用台紙１０を新通帳に貼着したベースシール１９に貼り付けることによって、通帳を繰り越す際の業務を大幅に簡単化することができる。【００４７】  ところで、図８（ａ）に示す印影１２の内部を見ると、図８（ｂ）に示すように、黒色の網点模様１８の上部においては、印影をなす朱色が鮮明に表現されるが、これを光学機器によってスキャニングすると、微細な黒色の網点模様１８以外の白色の網点部分においては印影の朱色が不鮮明に表現されることとなる。【００４８】  さらに、試験的に、図９（ａ）に示すように、黒色の網点模様１８を施した台紙２１の上面に種々の印鑑を捺印してその印影１２の上面に反射性を有する微細な文字等による遮蔽表示１６を施したフィルム２を圧着した状態にして、その上方から光学機器でスキャニングすると、図９（ｂ）に示すように、反射性を有する複数の微細な遮蔽表示１６による光の乱反射によって印影１２に欠損部分が生じるため、上記の網点模様１８の効果とあわせてより一層、正確な印影を読み取ることが不可能となる。【００４９】  また、本実施例において、図１０に示すように、上記の捺印用台紙１０に捺印した印影１２の上面に上記のシール１’を圧着した状態からこのシール１’を剥がし取ると、実施例１で詳細に説明したように、該シール１’の積層構造によって、捺印用台紙１０の上面に「開封済」等の文字や記号を表示した表示層３の部分だけが捺印用台紙１０に付着して、該表示層３の下側の半透明被覆層４（図２（ｂ）参照）の着色として表示され、これを光学機器等で読み取ると、複数の表示層３が印影１２を覆うように写るため、やはりその印影による印鑑の偽造を防止することが可能となる。
【実施例３】
【００５０】  本実施例は、近時において届出印を捺印しないタイプの通帳が普及していることに対処して、利用者本人が届出印を判別するためになされたものである。即ち、利用者本人が届出印を捺印したものでも、複数の通帳毎に異なる印鑑を捺印している場合等には、それぞれの通帳毎に適合する届出印が分からなくなる場合がある。【００５１】  そこで、不図示であるが、本実施例においては、利用者本人が保管すべき控帳に届出印を捺印しておき、この控帳の捺印箇所に実施例１又は実施例２の印鑑偽造防止用シールを圧着しておくことによって、利用者本人の所持している印鑑と所定の通帳の印影とを目視で照合して判別することができる。そして、このような控帳においても、その控帳に捺印した印影によって印鑑が偽造されないように、控帳の台紙に黒色の網点模様を施し、その上面に捺印した印影にも上記の印鑑偽造防止用シールを圧着しておくことによって印鑑の偽造を防止することが可能となる。【００５２】  なお、本実施例においては、通帳毎に控帳を作るのでもよいが、１冊の控帳を用意し、捺印した印鑑の印影毎に銀行名、貯金の種別、口座番号等を記載する欄を設けておくことによって、簡便に複数の印影を記録し控えておくことが可能となる。
【産業上の利用可能性】
【００５３】  以上説明したように、本発明の印鑑偽造防止用シールは、貯金通帳や種々の証書等に捺印されている印影を偽造されないように、保護すべき印影を覆うように該シールを書面に付着しておくことによって、極めて効果的な印鑑の偽造防止具として使用することが可能となる。
【図面の簡単な説明】
【００５４】
【図１】（ａ）、（ｂ）は本発明の実施例１による印鑑偽造防止用シールと捺印用台紙とを示す平面図である。
【図２】（ａ）、（ｂ）は本発明の実施例１による印鑑偽造防止用シールの部分断面図である。
【図３】本発明の実施例１による印鑑偽造防止用シールと捺印用台紙とを貯金通帳に付着した状況を示す斜視図である。
【図４】本発明の実施例１による印鑑偽造防止用シールを捺印用台紙に付着した状況を示す平面図である。
【図５】本発明の実施例１による印鑑偽造防止用シールを剥した後の捺印用台紙の表面状況を示す平面図である。
【図６】（ａ）、（ｂ）は本発明の実施例２による印鑑偽造防止用シールと捺印用台紙とを示す平面図である。
【図７】（ａ）〜（ｄ）は、本発明の実施例２による印鑑偽造防止用シールと捺印用台紙とを張替え可能な張替タイプに構成した場合の使用例を示す斜視図である。
【図８】（ａ）、（ｂ）、（ｃ）は本発明の実施例２の効果を示す平面図及び拡大図である。
【図９】（ａ）、（ｂ）は本発明の実施例２の効果を示す平面図である。
【図１０】本発明の実施例２の効果を示す斜視図であり、印鑑偽造防止用シールを剥がした捺印用台紙の状態を示すものである。
【図１１】特許文献１のコピー防止シールの平面図である。
【図１２】特許文献２の偽造防止用被覆透明フィルムの平面図である。
【符号の説明】
【００５５】１…印鑑偽造防止用シール
２…透明フィルム
３…表示層
４…半透明被覆層
５…接着層
６…書面
８…剥離紙
１０…捺印用台紙
１１…貯金通帳
１２…届出印（印影）
１３…受け付け係員の印
１４、１５…シート
１６…遮蔽表示
１８…網点模様
１９…ベースシール
２０…届出印の欄
２１…台紙
【図１】
2005189803.tif 000003
【図２】
2005189803.tif 000004
【図３】
2005189803.tif 000005
【図４】
2005189803.tif 000006
【図５】
2005189803.tif 000007
【図６】
2005189803.tif 000008
【図７】
2005189803.tif 000009
【図８】
2005189803.tif 000010
【図９】
2005189803.tif 000011
【図１０】
2005189803.tif 000012
【図１１】
2005189803.tif 000013
【図１２】
2005189803.tif 000014